(57)【要約】【課題】払拭具が清掃面に密着するのを防止して、払拭具で清掃面を円滑に払拭できるようにすること。【解決手段】本発明では、モップ（１）の柄（２）の下端に左右に伸延させた状態で配設した払拭具（６）において、吸水性を有する収縮自在の払拭具本体（３３）の外周外方を起毛状の払拭布（５４）で被覆することにした。また、払拭具本体（３３）が乾燥により収縮した状態では払拭具本体（３３）の外周表面と払拭布（５４）との間に間隙が形成される一方、払拭具本体（３３）が吸水により膨張した状態では払拭具本体（３３）の外周表面に払拭布（５４）が張り付くようにした。【選択図】図８
2009100982.tif 000002
【特許請求の範囲】
【請求項１】
モップの柄の下端に左右に伸延させた状態で配設した払拭具において、
吸水性を有する収縮自在の払拭具本体の外周外方を起毛状の払拭布で被覆したことを特徴とする払拭具。
【請求項２】
払拭具本体が乾燥により収縮した状態では払拭具本体の外周表面と払拭布との間に間隙が形成される一方、払拭具本体が吸水により膨張した状態では払拭具本体の外周表面に払拭布が張り付くようにしたことを特徴とする請求項１に記載の払拭具。
【請求項３】
左右に伸延させた払拭具を下端に配設したモップにおいて、
払拭具は、吸水性を有する収縮自在の払拭具本体の外周外方を起毛状の払拭布で被覆したことを特徴とするモップ。
【請求項４】
払拭具本体が乾燥により収縮した状態では払拭具本体の外周表面と払拭布との間に間隙が形成される一方、払拭具本体が吸水により膨張した状態では払拭具本体の外周表面に払拭布が張り付くようにしたことを特徴とする請求項３に記載のモップ。
【発明の詳細な説明】
【技術分野】
【０００１】
本発明は、モップの柄の下端に左右に伸延させた状態で配設した払拭具及び同払拭具を有するモップに関するものである。
【背景技術】
【０００２】
従来より、柄の下端に吸水性を有する払拭具を着脱自在に取付けるとともに、この払拭具を柄に取付けた状態のまま絞ることができるようにしたモップが使用されている。
【０００３】
この従来のモップは、柄の下端に左右一対の支持体を開閉自在に取付け、この支持体に可撓性及び吸水性を有する払拭具を着脱自在に取付けるとともに、支持体に操作具を連動連結して、この操作具を操作することによって、左右の支持体を開放させて払拭具を直線状に保持する清掃姿勢と、左右の支持体を閉塞させて前記払拭具を中心部で折曲することによって圧縮脱水する脱水姿勢とに姿勢変更可能に構成していた。
【０００４】
この従来のモップでは、断面略半円弧型の塊状のスポンジ製の払拭具が用いられていた（たとえば、特許文献１参照。）。
【０００５】
【特許文献１】特許第３１１１１２６号公報
【発明の開示】
【発明が解決しようとする課題】
【０００６】
ところが、上記従来のモップでは、断面略半円弧型の塊状の払拭具を用いていたために、清掃時に塊状の払拭具が床面や壁面などの清掃面に密着してしまい、払拭具と清掃面との間の摩擦が大きく、清掃面を払拭具で円滑に払拭することができなかった。
【課題を解決するための手段】
【０００７】
そこで、請求項１に係る本発明では、モップの柄の下端に左右に伸延させた状態で配設した払拭具において、吸水性を有する収縮自在の払拭具本体の外周外方を起毛状の払拭布で被覆することにした。
【０００８】
また、請求項２に係る本発明では、前記請求項１に係る本発明において、払拭具本体が乾燥により収縮した状態では払拭具本体の外周表面と払拭布との間に間隙が形成される一方、払拭具本体が吸水により膨張した状態では払拭具本体の外周表面に払拭布が張り付くようにした。
【０００９】
また、請求項３に係る本発明では、左右に伸延させた払拭具を下端に配設したモップにおいて、払拭具は、吸水性を有する収縮自在の払拭具本体の外周外方を起毛状の払拭布で被覆することにした。
【００１０】
また、請求項４に係る本発明では、前記請求項３に係る本発明において、払拭具本体が乾燥により収縮した状態では払拭具本体の外周表面と払拭布との間に間隙が形成される一方、払拭具本体が吸水により膨張した状態では払拭具本体の外周表面に払拭布が張り付くようにした。
【発明の効果】
【００１１】
そして、本発明では、以下に記載する効果を奏する。
【００１２】
すなわち、本発明では、吸水性を有する収縮自在の払拭具本体の外周外方を起毛状の払拭布で被覆することにしているために、清掃時に起毛状の払拭布で清掃面を払拭することになるので、払拭具（払拭布）と清掃面とが密着してしまうことがなくなり、従来の塊状の払拭具に比べて払拭具（払拭布）と清掃面との間の摩擦が小さくなって、清掃面を払拭具で円滑に払拭することができる。
【００１３】
また、本発明では、払拭具本体が乾燥により収縮した状態では払拭具本体の外周表面と払拭布との間に間隙が形成される一方、払拭具本体が吸水により膨張した状態では払拭具本体の外周表面に払拭布が張り付くようにしているために、払拭具本体を乾燥させて収縮した状態では、払拭布を用いて清掃面を円滑に乾拭きすることができるとともに、払拭具本体を吸水させて膨張した状態では、清掃面に払拭布を押し付けながら円滑に水拭きすることができ、清掃面の汚れに応じた多様な清掃を行うことができる。
【発明を実施するための最良の形態】
【００１４】
以下に、本発明に係る払拭具及びモップの具体的な構成について図面を参照しながら説明する。
【００１５】
図１〜図３に示すように、モップ１は、棒状の柄２の下端に左右一対の支持体3,4を開閉機構５を介して左右に開閉自在に取付け、この支持体3,4に可撓性及び吸水性を有する多孔質状の払拭具６を左右に伸延させた状態で着脱自在に取付けるとともに、支持体3,4に操作具７を操作機構８を介して連動連結している。
【００１６】
開閉機構５は、柄２の下端に正面視で逆Ｔ字状の保護カバー９を取付け、この保護カバー９の左右端部にリンク片10,11の基端部を左右回動自在に取付け、このリンク片10,11の中途部に支持体3,4の外側端部を長孔12,13を介して回動自在に連動連結している。
【００１７】
操作機構８は、柄２の中途部に操作具７の基端部を上下回動自在に取付け、この操作具７の中途部に左右一対の操作リンク14,15の基端部を回動自在に取付け、この操作リンク14,15の中途部を柄２の下端部で摺動自在に支持するとともに、操作リンク14,15の先端部に連動体16の上端部を取付け、さらに、この連動体16の下端部に支持体3,4の内側端部を回動自在に連動連結している。
【００１８】
そして、モップ１は、操作機構８の操作具７を下方に向けて回動させると、それに連動して操作リンク14,15が下方に向けて移動するとともに、開閉機構５のリンク片10,11の作用で左右の支持体3,4が下方に向けて回転し、図２に示すように、左右の支持体3,4が左右横一直線状に開放状態となり、これによって、払拭具６を直線状に保持する清掃姿勢となる。
【００１９】
一方、モップ１は、操作機構８の操作具７を上方に向けて回動させると、それに連動して操作リンク14,15が上方に向けて移動するとともに、開閉機構５のリンク片10,11の作用で左右の支持体3,4が上方に向けて回転し、図４に示すように、左右の支持体3,4が対向して閉塞状態となり、これによって、払拭具６を中心部で折曲することによって圧縮脱水する脱水姿勢となる。
【００２０】
このように、モップ１は、操作具７を操作することによって、図２に示す清掃姿勢と、図４に示す脱水姿勢とに姿勢変更できるようになっている。
【００２１】
このモップ１において、各支持体3,4には、図５に示すように、払拭具6を保持するための貫通状の係入孔17〜24を開閉中心側（内側）とそれに離反する側（外側）の前側と後側にそれぞれ形成している。
【００２２】
しかも、各係入孔17〜24は、支持体3,4の開閉中心から離反する側（外側）であって、対向する係入孔17〜24の離反する側（前側の係入孔17〜20の前側、後側の係入孔21〜24の後側）の部分に幅狭の係止爪25〜32を形成している。
【００２３】
一方、払拭具６には、図６に示すように、可撓性及び吸水性を有する収縮自在の多孔質状のスポンジ製の払拭具本体33の上面に可撓性を有する支持板34を貼着するとともに、この支持板34の上部に支持体3,4の係入孔17〜24に係入する係止片35〜42を開閉中心側（内側）とそれに離反する側（外側）の前側と後側にそれぞれ形成している。
【００２４】
そして、図７に示すように、払拭具６の係止片35〜42を支持体3,4の係入孔17〜24に挿入した後に、払拭具６を外側へ向けて移動させることによって、支持体3,4の係止爪25〜32で係止片35〜42の係止溝43〜50が係止され、これにより、支持体3,4に払拭具６を装着することができる。
【００２５】
一方、支持体3,4に装着された払拭具６を内側へ向けて移動させることによって、支持体3,4の係止爪25〜32と係止片35〜42の係止溝43〜50との係止が解除され、支持体3,4から払拭具６を取外すことができる。
【００２６】
このように、上記モップ１では、払拭具６の裏面に係止片35〜42を形成するとともに、この係止片35〜42を係入するための係入孔17〜24を支持体3,4に形成し、この係入孔17〜24の一部に幅狭の係止爪25〜32を形成して、この係止爪25〜32で係止片35〜42を支持するように構成している。
【００２７】
そのため、上記モップ１では、払拭具６や支持体3,4を精度よく製造しなくても支持体3,4に払拭具６を着脱容易に取付けることができるので、モップ１の製造コストを低減することができる。
【００２８】
また、上記モップ１では、係止爪25〜32を各係入孔17〜24における支持体3,4の開閉中心から離反する側（外側）に形成しているために、操作具７を操作することによって清掃姿勢から脱水姿勢に姿勢変更した際に、折曲された払拭具６の係止爪25〜32には支持体3,4の開閉中心から離反する方向（外側方向）に力が作用することになり、払拭具６の係止片35〜42が支持体3,4の係止爪25〜32に強固に係止されることになり、清掃姿勢から脱水姿勢に姿勢変更した際に払拭具６が支持体3,4から脱落してしまうのを防止することができる。
【００２９】
また、上記モップ１では、係止爪25〜32を前後に対向させて形成した係入孔17〜24の離反する側（前側の係入孔17〜20の前側、後側の係入孔21〜24の後側）に形成しているために、払拭具６を前方或いは後方のいずれの向きで使用しても、払拭具６の係止片35〜42が支持体3,4の係止爪25〜32に係止されることになり、清掃中に払拭具６が支持体3,4から脱落してしまうのを防止することができる。
【００３０】
しかも、上記モップ１では、図６及び図７に示すように、払拭具６の払拭具本体33を左右に伸延する塊状の払拭塊51とこの払拭塊51の下側外周部に形成した払拭片52とで構成している。
【００３１】
この払拭具６は、払拭塊51の下側外周部に９本のスリット53を前後に間隔をあけて形成することによって、前後に起倒自在の８個の払拭片52を前後に間隔をあけて形成している。
【００３２】
このように、上記モップ１では、塊状の払拭塊51の外周部に前後方向に向けて起倒する複数の払拭片52を前後に間隔をあけて形成しているために、清掃時に払拭片52が起立状態から前後に傾倒した状態に変形し、前後の払拭片52同士の間に清掃面と密着しない間隙が形成されることになり、従来の塊状の払拭具に比べて払拭具６と清掃面との間の摩擦が小さくなって、清掃面を払拭具６で円滑に払拭することができる。
【００３３】
また、払拭具６は、図６〜図８に示すように、払拭具本体33と支持板34との間に起毛を有する布状の払拭布54の両端部を挟みこむことによって、吸水性を有する収縮自在の払拭具本体33の外周外方を起毛状の払拭布54で被覆している。
【００３４】
しかも、払拭具６は、払拭具本体33が乾燥により収縮した状態では払拭具本体33の外周表面と払拭布54との間に間隙が形成されるようにし（図８(a)参照。）、一方、払拭具本体33が吸水により膨張した状態では払拭具本体33の外周表面に払拭布54が張り付くようにしている（図８(b)参照。）。
【００３５】
そのため、上記モップ１の払拭具６では、清掃時に起毛状の払拭布54で清掃面を払拭することになるので、払拭具６（払拭布54）と清掃面とが密着してしまうことがなくなり、従来の塊状の払拭具に比べて払拭具６（払拭布54）と清掃面との間の摩擦が小さくなって、清掃面を払拭具６で円滑に払拭することができる。
【００３６】
また、上記モップ１の払拭具６では、払拭具本体33を乾燥させて収縮した状態では、払拭布54を用いて清掃面を円滑に乾拭きすることができるとともに、払拭具本体33を吸水させて膨張した状態では、清掃面に払拭布54を押し付けながら円滑に水拭きすることができ、清掃面の汚れに応じた多様な清掃を行うことができる。
【図面の簡単な説明】
【００３７】
【図１】本発明に係るモップを示す全体図（(a)正面図、(b)側面図）。
【図２】同正面拡大図（清掃姿勢）。
【図３】同側面拡大図。
【図４】同正面拡大図（脱水姿勢）。
【図５】支持体を示す平面図。
【図６】払拭具を示す全体図（(a)平面図、(b)正面図、(c)側面図）。
【図７】支持体と払拭具の連結状態を示す説明図（(a)平面視、(b)断面視）。
【図８】払拭具を示す側面図。
【符号の説明】
【００３８】
１  モップ                                ２  柄
3,4  支持体                               ５  開閉機構
６  払拭具                                ７  操作具
８  操作機構                              ９  保護カバー
10,11  リンク片                           12,13  長孔
14,15  操作リンク                         16  連動体
17〜24  係入孔                            25〜32  係止爪
33  払拭具本体                            34  支持板
35〜42  係止片                            43〜50  係止溝
51  払拭塊                                52  払拭片
53  スリット                              54  払拭布
【図１】
2009100982.tif 000003
【図２】
2009100982.tif 000004
【図３】
2009100982.tif 000005
【図４】
2009100982.tif 000006
【図５】
2009100982.tif 000007
【図６】
2009100982.tif 000008
【図７】
2009100982.tif 000009
【図８】
2009100982.tif 000010